(57)【要約】      （修正有）【課題】複数のプラグ端子と複数のレセプタクル端子を含むプラグ電気コネクタおよびレセプタクル電気コネクタを提供する。【解決手段】プラグ電気コネクタ１００およびプラグ電気コネクタ１００にマッチするレセプタクル電気コネクタ２００である。プラグ電気コネクタ１００は、絶縁本体１と、絶縁本体１上の複数のプラグ端子２と、複数のプラグホールドダウン３と、を含む。レセプタクル電気コネクタ２００は、絶縁座部５と、絶縁座部５上の複数のレセプタクル端子６と、複数のレセプタクルホールドダウン７と、を含む。各プラグホールドダウン３および各レセプタクルホールドダウン７は、包み覆う設計を用い、プラグ電気コネクタ１００の絶縁本体１およびレセプタクル電気コネクタ２００の絶縁座部５を覆う。各プラグホールドダウン３および各レセプタクルホールドダウン７により多点接触効果を発揮する。【選択図】図７
0003227392.tif 000002
【実用新案登録請求の範囲】
【請求項１】
一対の第１側壁と、一対の第１端壁と、を含み、前記一対の第１側壁および前記一対の第１端壁で第１突き合わせ空間を画成する絶縁本体と、
前記一対の第１側壁に設けられた複数のプラグ端子と、
前記第１端壁の外側面に設けられ、前記第１端壁の頂部を覆う端部頂板および前記端部頂板から内方に曲げられ、前記第１突き合わせ空間に位置すると共に前記第１端壁の内側面を覆う端部接触片まで延伸されるプラグ蓋体と、各前記第１側壁の外側面に設けられ、各前記第１側壁の頂部を覆う側部頂板および前記側部頂板から内方に曲げられて、前記第１突き合わせ空間に位置すると共に各々が各前記第１側壁の内側面を覆う側部接触片が延伸される複数のプラグ側板と、を備える複数のプラグホールドダウンと、
を含む、プラグ電気コネクタ。
【請求項２】
各前記プラグホールドダウンは、前記プラグ蓋体の両端から各前記プラグ側板まで延びる複数のコーナー部材を含む、
請求項１に記載のプラグ電気コネクタ。
【請求項３】
前記プラグ蓋体の両端と各前記プラグ側板との間には、切欠部が形成される、
請求項１に記載のプラグ電気コネクタ。
【請求項４】
前記プラグ蓋体の底端には、複数の凹部が凹設される、
請求項２又は３に記載のプラグ電気コネクタ。
【請求項５】
各前記プラグ側板には、１個以上のピンが設けられる、
請求項１に記載のプラグ電気コネクタ。
【請求項６】
一対の第２側壁と、一対の第２端壁と、を含み、前記一対の第２側壁および前記一対の第２端壁で第２突き合わせ空間を画成し、かつ前記第２突き合わせ空間の内部に位置するガイドポストを更に含む絶縁座部と、
各々前記一対の第２側壁および前記ガイドポストの両側辺に設けられた複数のレセプタクル端子と、
前記第２端壁の外側面に設けられ、前記第２端壁の頂部を覆う端部頂板および前記端部頂板から内方に曲げられて、前記第２突き合わせ空間に位置すると共に前記第２端壁の内側面を覆う端部接触片まで延伸されるレセプタクル蓋体と、各前記第２側壁の外側面に設けられ、各前記第２側壁の頂部を覆う側部頂板および前記側部頂板から内方に曲げられて、前記第２突き合わせ空間に位置すると共に各々が各前記第２側壁の内側面を覆う側部接触片まで延伸される複数のレセプタクル側板と、各々が前記第２突き合わせ空間の内部および前記ガイドポストの両側辺に設けられた複数の接触アームと、を備える複数のレセプタクルホールドダウンと、
を含む、レセプタクル電気コネクタ。
【請求項７】
各前記接触アームは、各前記レセプタクル側板の前記側部接触片の底部から前記第２突き合わせ空間の内部に外向きに延びる延伸アームと、前記延伸アームの端部から前記ガイドポストの側辺に外向きに曲げられた弾性アームと、を含む、
請求項６に記載のレセプタクル電気コネクタ。
【請求項８】
各前記レセプタクル側板の前記側部接触片に突部が突出される、
請求項７に記載のレセプタクル電気コネクタ。
【請求項９】
各前記接触アームは、各前記レセプタクル蓋体の前記端部接触片の底部から前記第２突き合わせ空間の内部に外向きに曲げられた第１延伸部と、前記第１延伸部の端部から前記ガイドポストの端部に外向きに曲げられた第２延伸部と、前記第２延伸部の頂部から前記ガイドポストの頂部に外向きに曲げられた第３延伸部と、前記第３延伸部の両側から前記ガイドポストの側辺に外向きに曲げられた第４延伸部と、を含む、
請求項６に記載のレセプタクル電気コネクタ。
【請求項１０】
各前記接触アームは、各前記第４延伸部の端部から前記第２突き合わせ空間の内部に外向きに曲げられた延伸アームと、前記延伸アームの端部から各前記第２側壁の内側面に外向きに曲げられた弾性アームと、を含む、
請求項９に記載のレセプタクル電気コネクタ。
【考案の詳細な説明】
【技術分野】
【０００１】
本考案は、電気コネクタに関し、特に、プラグ電気コネクタおよびレセプタクル電気コネクタに関する。
【背景技術】
【０００２】
３Ｃ電子製品は、益々小型化と軽薄化設計に伴い、携帯型電子機器の内部において常に異なる回路基板の間を電気的に接続する必要があり、電子機器の体積が小さいため、内部スペースが比較的窮屈になることで、回路基板の間を通常基板対基板（Ｂｏａｒｄ  ｔｏ  Ｂｏａｒｄ、ＢＴＢ）の電気コネクタを利用して互いに電気的に接続させることで、より良好な空間利用率を実現していた。
【０００３】
基板対基板電気コネクタが電気コネクタの組み合わせであり、電気コネクタの組み合わせは、プラグコネクタと、対応するレセプタクルコネクタと、を含み、プラグコネクタ上に複数のオス端子が配置され、レセプタクルコネクタ上に複数のメス端子が配置され、プラグコネクタがレセプタクルコネクタに挿入された後、オス端子がメス端子にマッチすることで、２枚のプリント回路基板間の信号伝送を実現する。
【考案の概要】
【考案が解決しようとする課題】
【０００４】
本考案は、かかる従来の問題点に鑑みてなされたもので、プラグ電気コネクタおよびレセプタクル電気コネクタを提供することを目的とする。
【課題を解決するための手段】
【０００５】
上記目的を達成するため、本考案に係るプラグ電気コネクタは、絶縁本体と、複数のプラグ端子と、複数のプラグホールドダウンと、を含む。絶縁本体は、一対の第１側壁と、一対の第１端壁と、を含み、一対の第１側壁および一対の第１端壁で第１突き合わせ空間を画成する。複数のプラグ端子は、一対の第１側壁に設けられる。これらのプラグホールドダウンは、プラグ蓋体と、複数のプラグ側板と、を含む。プラグ蓋体は、第１端壁の外側面に設けられ、第１端壁の頂部を覆う端部頂板および端部頂板から内方に曲げられ、第１突き合わせ空間に位置すると共に第１端壁の内側面を覆う端部接触片まで延伸される。複数のプラグ側板は、各第１側壁の外側面に設けられ、各プラグ側板が各第１側壁の頂部を覆う側部頂板および側部頂板から内方に曲げられて、第１突き合わせ空間に位置すると共に各々が各第１側壁の内側面を覆う側部接触片まで延伸される。
【０００６】
幾つかの実施例において、各プラグホールドダウンは、プラグ蓋体の両端から各プラグ側板まで延びる複数のコーナー部材を含む。
【０００７】
幾つかの実施例において、プラグ蓋体の両端と各プラグ側板との間には、切欠部が形成される。
【０００８】
幾つかの実施例において、プラグ蓋体の底端には、複数の凹部が凹設される。
【０００９】
幾つかの実施例において、各プラグ側板には、１個以上のピンが設けられる。
【００１０】
本考案は、上記プラグ電気コネクタにマッチするレセプタクル電気コネクタを提供する。レセプタクル電気コネクタは、絶縁座部と、複数のレセプタクル端子と、複数のレセプタクルホールドダウンと、を含む。絶縁座部は、一対の第２側壁と、一対の第２端壁と、を含み、一対の第２側壁および一対の第２端壁で第２突き合わせ空間を画成し、かつ絶縁座部が第２突き合わせ空間の内部に位置するガイドポストを含む。複数のレセプタクル端子は、各々一対の第２側壁およびガイドポストの両側辺に設けられる。各レセプタクルホールドダウンは、レセプタクル蓋体と、複数のレセプタクル側板と、複数の接触アームと、を含む。レセプタクル蓋体は、第２端壁の外側面に設けられ、第２端壁の頂部を覆う端部頂板および端部頂板から内方に曲げられて、第２突き合わせ空間に位置すると共に第２端壁の内側面を覆う端部接触片まで延伸される。複数のレセプタクル側板は、各第２側壁の外側面に設けられ、各レセプタクル側板が各第２側壁の頂部を覆う側部頂板および側部頂板から内方に曲げられて、第２突き合わせ空間に位置すると共に各々各第２側壁の内側面を覆う側部接触片まで延伸される。複数の接触アームは、各々第２突き合わせ空間の内部およびガイドポストの両側辺に設けられる。
【００１１】
幾つかの実施例において、各接触アームは、各レセプタクル側板の側部接触片の底部から第２突き合わせ空間の内部に外向きに延びる延伸アームと、延伸アームの端部からガイドポストの側辺に外向きに曲げられた弾性アームと、を含む。
【００１２】
幾つかの実施例において、各レセプタクル側板の側部接触片に突部が突出される。
【００１３】
幾つかの実施例において、各接触アームは、各レセプタクル蓋体の端部接触片の底部から第２突き合わせ空間の内部に外向きに曲げられた第１延伸部と、第１延伸部の端部からガイドポストの端部に外向きに曲げられた第２延伸部と、第２延伸部の頂部からガイドポストの頂部に外向きに曲げられた第３延伸部と、第３延伸部の両側からガイドポストの側辺に外向きに曲げられた第４延伸部と、を含む。
【００１４】
幾つかの実施例において、各接触アームは、各第４延伸部の端部から第２突き合わせ空間の内部に外向きに曲げられた延伸アームと、延伸アームの端部から各第２側壁の内側面に外向きに曲げられた弾性アームと、を含む。
【考案の効果】
【００１５】
本考案の一実施例によって提案される各プラグホールドダウンは、包み覆う設計を用い、複数のプラグ蓋体および複数のプラグ側板で絶縁本体の一対の第１側壁と一対の第１端壁を覆う。またプラグ蓋体、端部接触片、プラグ側板、側部接触片により多点接触効果を発揮させる。
【００１６】
本考案の一実施例によって提案される各レセプタクルホールドダウンは、大面積の包み覆う設計を用い、複数のレセプタクル蓋体および複数のレセプタクル側板で絶縁座部の一対の第２側壁と一対の第２端壁を覆う。また端部接触片、側部接触片、複数の接触アームにより多点接触効果を発揮させる。
【００１７】
本考案の一実施例によって提案されるプラグ電気コネクタのプラグ蓋体に各凹部の構造面積を増大し、プラグ電気コネクタが回路基板にはんだ付けされる時、はんだ接触固定、および多点はんだ付け設計の効果を発揮する。
【００１８】
本考案の詳細な特徴および利点は、以下の実施形態で詳細に説明し、その内容が当業者に本考案の技術内容について十分理解してもらうと共にこれをもって実施できる。かつ本明細書で開示される内容、実用新案登録請求の範囲および図面に基づくと、当業者であれば誰でも簡単に本考案に係わる目的および利点を理解できる。
【図面の簡単な説明】
【００１９】
【図１】本考案の実施例１に係るプラグ電気コネクタの外観図である。
【図２】本考案の実施例１に係るプラグ電気コネクタの分解図である。
【図３】本考案の実施例１に係るプラグホールドダウンの外観図である。
【図４】本考案の実施例１に係るレセプタクル電気コネクタの外観図である。
【図５】本考案の実施例１に係るレセプタクル電気コネクタの分解図である。
【図６】本考案の実施例１に係るレセプタクルホールドダウンの外観図である。
【図７】本考案の実施例１に係るプラグ電気コネクタとレセプタクル電気コネクタの嵌合時の外観図である。
【図８】図７の４−４線に沿った断面図である。
【図９】本考案の実施例２に係るプラグ電気コネクタの外観図である。
【図１０】本考案の実施例２に係るプラグ電気コネクタの分解図である。
【図１１】本考案の実施例２に係るプラグホールドダウンの外観図である。
【図１２】本考案の実施例２に係るレセプタクル電気コネクタの外観図である。
【図１３】本考案の実施例２に係るレセプタクル電気コネクタの分解図である。
【図１４】本考案の実施例２に係るレセプタクルホールドダウンの外観図である。
【図１５】本考案の実施例２に係るプラグ電気コネクタとレセプタクル電気コネクタの嵌合時の上面図である。
【図１６】本考案の実施例２に係るプラグ電気コネクタとレセプタクル電気コネクタの嵌合時の断面図である。
【考案を実施するための形態】
【実施例１】
【００２０】
図１、図２、図３を参照すると、本考案の実施例１であり、すなわち、プラグ電気コネクタ１００の実施例であり、図１は外観図、図２が分解図、図３がプラグホールドダウン３の外観図である。プラグ電気コネクタ１００は、絶縁本体１と、複数のプラグ端子２と、プラグホールドダウン３（Ｈｏｌｄ  ｄｏｗｎ）と、を含む。
【００２１】
本実施例において、絶縁本体１は、細長いプラスチック体であり、底壁と、一対の第１側壁１１と、一対の第１端壁１２と、を含み、一対の第１側壁１１が互いに対向して平行であり、一対の第１端壁１２も互いに対向して平行であり、特に、一対の第１側壁１１が長手方向Ｘに沿って底壁に設けられ、一対の第１端壁１２が横向方向Ｙに沿って底壁に設けられ、かつ一対の第１側壁１１および一対の第１端壁１２で第１突き合わせ空間１３を画成する。
【００２２】
本実施例において、複数のプラグ端子２は、絶縁本体１に設けられると共に対向する２列に配置され、各プラグ端子２が一体化された第１接触部と、第２接触部と、絶縁本体１外から延びる第１はんだ付け部と、を含み、第１接触部および第２接触部が曲がって延びることによって並べられ、第１接触部が第１突き合わせ空間１３内に位置することで第１側壁１１の一面に当接し、第２接触部が第１側壁１１の他面に位置する。複数のプラグ端子２は、信号を伝送するために用いられ、伝送電流が０．３〜０．５Ａの範囲である。
【００２３】
本実施例において、各プラグホールドダウン３は、上面視で略Ｕ字形を呈する板であり、一体化されたプラグ蓋体３１と、複数のプラグ側板３２と、を含む。
【００２４】
本実施例において、プラグ蓋体３１は、第１端壁１２の外側面１２２に設けられ、プラグ蓋体３１が第１端壁１２の頂部を覆う端部頂板３１１および端部頂板３１１から内方に曲げられ、第１突き合わせ空間１３に位置すると共に第１端壁１２の内側面１２１を覆う端部接触片３１２が延伸される。
【００２５】
本実施例において、複数のプラグ側板３２は、各第１側壁１１の外側面１１２に設けられ、各プラグ側板３２から各第１側壁１１の頂部を覆う側部頂板３２１および側部頂板３２１から内方に曲げられて、第１突き合わせ空間１３に位置すると共に各々が各第１側壁１１の内側面１１１を覆う側部接触片３２２が延伸される。
【００２６】
各プラグホールドダウンは、包み覆う設計を用い、複数のプラグ蓋体３１および複数のプラグ側板３２で絶縁本体１の一対の第１側壁１１と一対の第１端壁１２を覆う。またプラグ蓋体３１、端部接触片３１２、プラグ側板３２、側部接触片３２２により多点接触効果を発揮させる。２点以上の接触設計により、電流出力の安定性が確保され、超大電流の伝送が満たされ、素子の発熱が少なく、急速充電等に使用される。多点接触内の一部接点は、予備接触設計として使用できる。
【００２７】
本実施例において、より詳しくは、各プラグホールドダウン３は、プラグ蓋体３１の両端から各プラグ側板３２に延びる複数のコーナー部材３４を含むが、これに限定されない。複数のコーナー部材３４で絶縁本体１のコーナー部を覆うため、被覆面積を増やすことで、包み覆う効果および製品強度を高めることができる。
【００２８】
本実施例において、より詳しくは、各プラグホールドダウン３は、要件に応じて素材を交換して大電流（３Ａ〜５Ａ、３Ａ〜１０Ａ）又は信号源伝送用の素材を選択することができる。
【００２９】
本実施例において、より詳しくは、プラグ蓋体３１の底端に複数の凹部３６が凹設される。各凹部３６の構造面積を増やし、プラグ電気コネクタ１００が回路基板にはんだ付けされる時、はんだ接触固定および多点はんだ付け設計の効果を奏する。凹部３６は、過剰なはんだを貯めることができるため、はんだ上がりのリスクを回避し、製品の故障を効果的に防止でき、複数のはんだ接合部の設計により、製品が基板から容易に外れず、素子の開回路を防ぐことを確保する。
【００３０】
本実施例において、より詳しくは、各プラグ側板３２には、１個のピン３２４が設けられる。
【００３１】
図４、図５および図６を参照すると、本考案の実施例１であり、すなわち、レセプタクル電気コネクタ２００の実施例であり、図４は外観図、図５が分解図、図６がレセプタクルホールドダウン７の外観図である。レセプタクル電気コネクタ２００は、絶縁座部５と、複数のレセプタクル端子６と、複数のレセプタクルホールドダウン７と、を含む。
【００３２】
本実施例において、絶縁座部５は、細長いプラスチック体であり、底壁と、一対の第２側壁５１と、一対の第２端壁５２と、を含み、一対の第２側壁５１が長手方向Ｘに沿って底壁に設けられ、一対の第２端壁５２が横向方向Ｙに沿って底壁に設けられ、一対の第２側壁５１および一対の第２端壁５２で第２突き合わせ空間５３を画成し、プラグ電気コネクタ１００がレセプタクル電気コネクタ２００に挿入された時（図８）、一対の第１側壁１１が第２突き合わせ空間５３内に挿着される。
【００３３】
本実施例において、絶縁座部５は、第２突き合わせ空間５３の内部に位置するガイドポスト５４を含み、すなわち、レセプタクル電気コネクタ２００の底壁が第２突き合わせ空間５３の内部に向けて突出するガイドポスト５４を含む。一対の第２側壁５１の内側面５１１および対応するガイドポスト５４の両側には、前記長手方向Ｘに沿って並べられる端子溝が設けられ、複数の端子溝が底壁を貫通すると共に第２突き合わせ空間５３に連通する。
【００３４】
本実施例において、複数のレセプタクル端子６は、絶縁座部５に設けられると共に対向する２列に配置され、各レセプタクル端子６がメインアームと、一対の弾性挟持アームと、固定用アームと、絶縁座部５の底部から突き抜ける第２はんだ付け部と、を含む。また、各レセプタクル端子６は、ブランキングタイプ（Ｂｌａｎｋｉｎｇ  ｔｙｐｅ）の端子である。
【００３５】
本実施例において、メインアームは底壁の下方に横方向に設けられ、一対の弾性挟持アームがメインアームの一側表面から端子溝まで外向きに延びており、一対の弾性挟持アームがフローティング式構造となり、挿抜時、一対の弾性挟持アームが固定用アームを支点として揺動する。
【００３６】
ここで、一対の弾性挟持アームは、相対的に突出する円弧状頭部を備え、両円弧状頭部が第２突き合わせ空間５３に位置し、円弧状頭部がレセプタクル端子６のコーナー部に合わせて挿入ガイドを容易にする作用を有し、プラグ電気コネクタ１００をレセプタクル電気コネクタ２００にスムーズにガイドされてマッチさせることができる。さらに、一対の弾性挟持アームおよびメインアームは、略Ｕ字形の外観を形成し、両円弧状頭部設計と組み合わせて、２点接触を提供し、かつダブルアームフローティング（弾性を持つ）の設計を提供し、優れた防振および緩み抜けの効果を持っている。
【００３７】
本実施例において、固定用アームは、メインアームの他側から外向きに延びており、固定用アーム、一対の弾性挟持アームおよびメインアームが略山字形の外観を形成する。
【００３８】
本実施例において、複数のレセプタクルホールドダウン７は、レセプタクル蓋体７１と、複数のレセプタクル側板７２と、複数の接触アーム８と、を含む。
【００３９】
本実施例において、レセプタクル蓋体７１は、第２端壁５２の外側面５２２に設けられ、レセプタクル蓋体７１が第２端壁５２の頂部を覆う端部頂板７１１および端部頂板７１１から内方に曲げられて、第２突き合わせ空間５３に位置すると共に第２端壁５２の内側面５２１を覆う端部接触片７１２まで延伸される。
【００４０】
本実施例において、複数のレセプタクル側板７２は、各第２側壁５１の外側面５１２に設けられ、各レセプタクル側板７２が各第２側壁５１の頂部を覆う側部頂板７２１および側部頂板７２１から内方に曲げられて、第２突き合わせ空間５３に位置すると共に各々各第２側壁５１の内側面５１１を覆う側部接触片７２２まで延伸される。
【００４１】
本実施例において、複数の接触アーム８は、各々第２突き合わせ空間５３の内部およびガイドポスト５４の両側辺５４１に設けられる。
【００４２】
本実施例において、各レセプタクルホールドダウン７は、大面積の包み覆う設計を用い、複数のレセプタクル蓋体７１および複数のレセプタクル側板７２で絶縁座部５の一対の第２側壁５１と一対の第２端壁５２を覆う。また端部接触片７１２、側部接触片７２２、複数の接触アーム８の弾性アーム８２により多点接触効果を発揮させる。
【００４３】
本実施例において、より詳しくは、各接触アーム８は、各レセプタクル側板７２の側部接触片７２２の底部から第２突き合わせ空間５３の内部に外向きに延びる延伸アーム８１と、延伸アーム８１の端部からガイドポスト５４の側辺５４１に外向きに曲げられた弾性アーム８２と、を含む。ここで、各接触アーム８とレセプタクルホールドダウン７は一体となり、各接触アーム８が各レセプタクル側板７２の側部接触片７２２から内向きに相対的に延びており、各接触アーム８が側面視で略Ｌ字形の外観を呈する。
【００４４】
本実施例において、より詳しくは、各側部接触片７２２および各接触アーム８は、側面視で略Ｕ字形の構造を呈し、各接触アーム８が延伸してより長い距離の接触フォースアームを形成し、優れた弾性回復効果を提供し、弾性崩壊のリスクを軽減する。
【００４５】
本実施例において、より詳しくは、各レセプタクル側板７２の側部接触片７２２には、突部７２４が突出され、容易にプラグ電気コネクタ１００のプラグ側板３２に邪魔や接触することで、外側スナップフィットの設計を形成する。各接触アーム８の弾性アーム８２は、プラグ電気コネクタ１００の側部接触片３２２（図８）に邪魔や接触することで、内側スナップフィット設計を形成する。内外側スナップフィットは、プラグ電気コネクタ１００とレセプタクル電気コネクタ２００の係合力を確保することで、プラグ電気コネクタ１００の脱落を防止する。
【００４６】
図７、図８を参照すると、電気コネクタの組立の実施例であり、すなわち、プラグ電気コネクタとレセプタクル電気コネクタの嵌合時の本考案の実施例１であり、図７は、外観図、図８が図７の４−４線に沿った断面図である。本実施例の電気コネクタの組立は、互いにマッチするプラグ電気コネクタ１００（ｐｌｕｇ）と、レセプタクル電気コネクタ２００（ｒｅｃｅｐｔａｃｌｅ）と、を含み、電気コネクタの組立が基板対基板（Ｂｏａｒｄ  ｔｏ  Ｂｏａｒｄ、ＢＴＢ）の電気コネクタに属する。
【実施例２】
【００４７】
図９、図１０、図１１を参照すると、本考案の実施例２であり、図９はプラグ電気コネクタの外観図、図１０がプラグ電気コネクタの分解図、図１１がプラグホールドダウンの外観図である。実施例２と実施例１との相違点は、実施例２に係るプラグ電気コネクタ１００のプラグ蓋体３１の両端と各プラグ側板３２との間に切欠部３５が形成されることである。
【００４８】
本実施例において、より詳しくは、プラグ電気コネクタ１００の各プラグ側板３２には、複数のピン３２４が設けられる。
【００４９】
図１２、図１３、図１４を参照すると、本考案の実施例２であり、図１２は、レセプタクル電気コネクタの外観図、図１３がレセプタクル電気コネクタの分解図、図１４がレセプタクルホールドダウンの外観図である。実施例２と実施例１との相違点は、実施例２のレセプタクル電気コネクタ２００の各接触アーム８が各レセプタクル蓋体７１の端部接触片７１２の底部から第２突き合わせ空間５３内部に外向きに曲げられた第１延伸部８３１を含むことである。第１延伸部８３１は、平坦な底板であり、第２突き合わせ空間５３の底部に位置する。
【００５０】
実施例２と実施例１との相違点は、レセプタクル電気コネクタ２００の各接触アーム８が第１延伸部８３１の端部からガイドポスト５４端部５４２に外向きに曲げられた第２延伸部８３２を含むことである。第２延伸部８３２は、第１延伸部８３１に対して垂直であり、第１延伸部８３１と第２延伸部８３２が略Ｌ字形の外観を呈する。
【００５１】
実施例２と実施例１との相違点は、レセプタクル電気コネクタ２００の各接触アーム８が第２延伸部８３２の頂部からガイドポスト５４の頂部に外向きに曲げられた第３延伸部８３３を含むことである。第３延伸部８３３は、第１延伸部８３１と平行になり、第３延伸部８３３が第２延伸部８３２の頂部に位置し、第１延伸部８３１が第２延伸部８３２の底部に位置する。
【００５２】
実施例２と実施例１との相違点は、レセプタクル電気コネクタ２００の各接触アーム８が第３延伸部８３３の両側からガイドポスト５４の側辺５４１に外向きに曲げられた第４延伸部８３４を含むことである。第３延伸部８３３と第３延伸部８３３の両側の第４延伸部８３４は、略Ｕ字形の外観を呈する。
【００５３】
実施例２と実施例１との相違点は、レセプタクル電気コネクタ２００の各接触アーム８が各第４延伸部８２３の端部から第２突き合わせ空間５３の内部に外向きに曲げられた延伸アーム８１を含むことである。
【００５４】
実施例２と実施例１との相違点は、レセプタクル電気コネクタ２００の各接触アーム８が延伸アーム８１の端部から各第２側壁５１の内側面５１１に外向きに曲げられた弾性アーム８２を含むことである。実施例２の各接触アーム８は、中央の第３延伸部８３３の両側から外向きに延びる弾性アームの設計を呈する。
【００５５】
本実施例において、各レセプタクルホールドダウン７は、大面積の包み覆う設計を用いており、外部衝突力に効果的に抵抗し、挿抜耐久回数を増やすことができる。
【００５６】
本実施例において、第２延伸部８３２は、ガイドポスト５４の端部５４２を覆い、第３延伸部８３３がガイドポスト５４の頂部を覆い、第４延伸部８３４がガイドポスト５４の側辺５４１を覆う。ガイドポスト５４の設計を保護し、中央ガイドポスト５４を包み覆うことで全面的に保護し、挿拔過程中のプラグ電気コネクタ１００とレセプタクル電気コネクタ２００の位置ずれにより中央ガイドポスト５４が潰れるのを防止する。
【００５７】
本実施例において、より詳しくは、第２延伸部８３２の内側には、係止ポッチが突出されており、ガイドポスト５４の端部５４２でから成る凹部に係合し、挿拔過程中の接触アーム８が引き出されるのを防止する。
【００５８】
本実施例において、より詳しくは、接触アーム８の弾性アーム８２は、非漸縮構造であり、接触面積を増大させることで、大電流の使用を可能にすることができる。非漸縮構造により、弾性アーム８２の剛性を高め、挿拔力と信号接触の安定性を維持する。さらに、弾性アーム８２の末端頭部は、絶縁座部５表面の下方（第２側壁５１の内側面５１１でから成る凹溝内）にあり、挿拔過程中に折り返し又は潰れによる弾性崩壊の現象を避ける。
【００５９】
本実施例において、より詳しくは、各接触アーム８は、前面視で略Ｗ字形の弾性片であり、予備接点増加の可能性（レセプタクルホールドダウン７および各接触アーム８は、計６個の接点で、２接点のみが既存の設計で、３〜６点目が予備接点の設計）を実現でき、需要に応じて大電流規格の調整と挿拔力として使用できる。６接点は、端部接触片７１２、第２延伸部８３２、２つの第４延伸部８３４、２つの弾性アーム８２である。２つの弾性アーム８２の２接点が既存の設計である。
【００６０】
本実施例において、より詳しくは、レセプタクルホールドダウン７の複数の接触アーム８は、段付き構造の設計を形成する。第１のステップは、潰れて損傷されないように、絶縁座部５の包み覆われる面積を増やし、絶縁座部５を効果的に保護する。第２のステップは、接触アーム８の強度を確保し、組立又は挿拔過程中の変形を防ぐ。第３のステップは、中心ガイドポスト５４を保護し、プラグ電気コネクタ１００に合わせて退避処理を実施する（図１５、図１６）。
【００６１】
本実施例において、より詳しくは、レセプタクル蓋体７１の端部頂板７１１、各レセプタクル側板７２の側部頂板７２１の高さは、ガイドポスト５４の表面より高く、プラグ電気コネクタ１００とレセプタクル電気コネクタ２００の嵌合時（図１５、図１６）に、ガイド作用を提供できる。
【産業上の利用可能性】
【００６２】
本考案の一実施例によって提案される各プラグホールドダウンは、包み覆う設計を用い、複数のプラグ蓋体および複数のプラグ側板で絶縁本体の一対の第１側壁と一対の第１端壁を覆う。またプラグ蓋体、端部接触片、プラグ側板、側部接触片により多点接触効果を発揮させる。レセプタクル電気コネクタの接触アームでガイドポスト５４の設計を保護し、中央ガイドポストを包み覆うことで全面的に保護し、挿拔過程中のプラグ電気コネクタ１００とレセプタクル電気コネクタ２００の位置ずれにより中央ガイドポスト５４が潰れるのを防止する
【００６３】
本考案の一実施例によって提案される各レセプタクルホールドダウンは、大面積の包み覆う設計を用い、複数のレセプタクル蓋体および複数のレセプタクル側板で絶縁座部の一対の第２側壁と一対の第２端壁を覆う。また端部接触片、側部接触片、複数の接触アームにより多点接触効果を発揮させる。
【００６４】
本考案の一実施例によって提案されるプラグ電気コネクタのプラグ蓋体に各凹部の構造面積を増大し、プラグ電気コネクタが回路基板にはんだ付けされる時、はんだ接触固定、および多点はんだ付け設計の効果を発揮する。
【００６５】
本考案の技術的内容は、好ましい実施例で上記通り開示され、そのような実施例により本考案の保護範囲が限定されるべきものではなく、当業者が本考案の精神から離れることなく種々の変更及び改変を為し得ることは、本考案の範囲に含めるものであるのが勿論である。よって本考案の保護範囲は、本明細書に添付する実用新案登録請求の範囲で定義しているものを基準とする。
【符号の説明】
【００６６】
１００ プラグ電気コネクタ
２００ レセプタクル電気コネクタ
１     絶縁本体
１１   第１側壁
１１１ 内側面
１１２ 外側面
１２   第１端壁
１２１ 内側面
１２２ 外側面
１３   第１突き合わせ空間
２     プラグ端子
３     プラグホールドダウン
３１   プラグ蓋体
３１１ 端部頂板
３１２ 端部接触片
３２   プラグ側板
３２１ 側部頂板
３２２ 側部接触片
３２４ ピン
３４   コーナー部材
３５   切欠部
３６   凹部
５     絶縁座部
５１   第２側壁
５１１ 内側面
５１２ 外側面
５２   第２端壁
５２１ 内側面
５２２ 外側面
５３   第２突き合わせ空間
５４   ガイドポスト
５４１ 側辺
５４２ 端部
６     レセプタクル端子
７     レセプタクルホールドダウン
７１   レセプタクル蓋体
７１１ 端部頂板
７１２ 端部接触片
７２   レセプタクル側板
７２１ 側部頂板
７２２ 側部接触片
７２４ 突部
８     接触アーム
８１   延伸アーム
８２   弾性アーム
８３１ 第１延伸部
８３２ 第２延伸部
８３３ 第３延伸部
８３４ 第４延伸部
【図１】
0003227392.tif 000003
【図２】
0003227392.tif 000004
【図３】
0003227392.tif 000005
【図４】
0003227392.tif 000006
【図５】
0003227392.tif 000007
【図６】
0003227392.tif 000008
【図７】
0003227392.tif 000009
【図８】
0003227392.tif 000010
【図９】
0003227392.tif 000011
【図１０】
0003227392.tif 000012
【図１１】
0003227392.tif 000013
【図１２】
0003227392.tif 000014
【図１３】
0003227392.tif 000015
【図１４】
0003227392.tif 000016
【図１５】
0003227392.tif 000017
【図１６】
0003227392.tif 000018